(57)【要約】【課題】２種類の中敷きを使わなくても、被包装物を底上げ状態で支持する包装箱の底上げ用中敷きを提供する。【解決手段】シート２に切れ目により形成した一方側腕部３ａ及び他方側腕部３ｂを下方に撓め、腕部折り曲げ用折り目５に沿って折り曲げ、さらに腕部３の中間部分３ｃを、一方側折り目３ｆ及び他方側折り目３ｇのところで１８０°近く反転するように折り曲げることによって、中間部分３ｃが被包装物Ｂの載る座面を形成し、腕部３がシート２の表面からハンモック状に吊られた様な状態とすることで、被包装物の下面を抱えるようにして支持する。【選択図】　　図１
2004090940.tif 000002
【特許請求の範囲】
【請求項１】
可撓性を有するシートで形成され、包装箱に納めて被包装物を底上げ状態で支持するための中敷きであって、
前記シートが、前記被包装物の下面を抱えるようにして支持する腕部を形成するための腕部形成用切れ目を有し、前記腕部は、前記シートの一方側基点から他方側基点へ延び、該腕部の長さが前記両基点を結ぶ最短距離より長くなるように形成されていることを特徴とする、包装箱の底上げ用中敷き。
【請求項２】
前記腕部が、前記一方側基点から他方側へ延びる一方側腕部分と、前記他方側基点から一方側へ延びる他方側腕部分と、前記一方側腕部分と前記他方側腕部分とを接続する中間部分と、を有することを特徴とする請求項１記載の中敷き。
【請求項３】
前記腕部が、前記一方側腕部分と前記中間部分とを略Ｕターン状に接続する一方側接続部と、前記他方側腕部分と前記中間部分とを略Ｕターン状に接続する他方側接続部と、を更に有することを特徴とする請求項２記載の中敷き。
【請求項４】
前記一方側腕部分と前記一方側接続部との境界近傍又は前記中間部分と前記一方側接続部の境界近傍の少なくとも一方に一方側折り目が形成され、前記他方側腕部分と前記他方側接続部との境界近傍又は前記中間部分と前記他方側接続部の境界近傍の少なくとも一方に他方側折り目が形成され、前記一方側腕部及び他方側腕部が下方へ撓められると前記中間部分が前記一方側折り目及び他方側折り目によって反転可能となっていることを特徴とする請求項３記載の中敷き。
【発明の詳細な説明】
【０００１】
【発明の属する技術分野】
本発明は、包装箱の底上げ用中敷きであって、厚紙等の可撓性を有するシートで形成され、該シートに設けた切れ目や折り目に沿って折り曲げることによって形成される中敷きに関するものである。
【０００２】
【従来の技術】
この種の中敷きの従来例について、図９及び図１０を参照しつつ説明する。図示従来例は、大小２つの瓶を包装するための中敷きを示す例である。中敷きは、２種類あり、一つは、被包装物として大小２種類の瓶Ｂ（小瓶のみを図示）を仕切るのに用いる仕切り用中敷き１０であり、他の一つは、仕切り用中敷き１０の下に敷いて、小さい方の瓶Ｂを底上げするための底上げ用中敷き１１である。
【０００３】
仕切り用中敷き１０は、図１０に示すように、厚紙の四辺に側板形成用折り目１２を形成し、瓶Ｂの輪郭を型取った輪郭形成用折り目１３と、輪郭形成用折り目１３によって形成される輪郭のコーナー部位から該輪郭内側へ延びる切れ目１４とが形成されいて、これら折り目及び切れ目に沿って折り曲げ成形することによって、図９に示すように瓶Ｂが嵌る仕切りが形成される。なお、図１０中、符号１６で示す部分は開口部である。
【０００４】
底上げ用中敷き１１は、所要高さになるように厚紙の四辺に側板１１ａを形成するための側板形成用折り目１１ｂが形成されている。側板１１ａを側板形成用折り目１１ｂに沿って略直角に折り曲げ成形し、瓶Ｂの下に位置するように包装箱１５の底に配置し、その上から仕切用中敷き１０を配置して、瓶Ｂを底上げするようになっている。
【０００５】
【発明が解決しようとする課題】
しかしながら、被包装物を底上げするには、上記従来例のように、仕切り用中敷き１０と底上げ用中敷き１１の２種類の中敷きが必要であった。
【０００６】
そこで、本発明は、一種類の中敷きで底上げが可能な包装箱の底上げ用中敷きを提供することを目的とする。
【０００７】
【課題を解決するための手段】
本発明の上記目的は、可撓性を有するシートで形成され、包装箱に納めて被包装物を底上げ状態で支持するための中敷きであって、前記シートが、前記被包装物の下面を抱えるようにして支持する腕部を形成するための腕部形成用切れ目を有し、前記腕部は、前記シートの一方側基点から他方側基点へ延び、該腕部の長さが前記両基点を結ぶ最短距離より長くなるように形成されていることを特徴とする、包装箱の底上げ用中敷きにより達成される。
【０００８】
前記腕部は、前記一方側基点から他方側へ延びる一方側腕部分と、前記他方側基点から一方側へ延びる他方側腕部分と、前記一方側腕部分と前記他方側腕部分とを接続する中間部分と、を有することが好ましい。
【０００９】
前記腕部は、前記一方側腕部分と前記中間部分とを略Ｕターン状に接続する一方側接続部と、前記他方側腕部分と前記中間部分とを略Ｕターン状に接続する他方側接続部と、を更に有することが好ましい。
【００１０】
さらに、前記一方側腕部分と前記一方側接続部との境界近傍又は前記中間部分と前記一方側接続部の境界近傍の少なくとも一方に一方側折り目を形成し、前記他方側腕部分と前記他方側接続部との境界近傍又は前記中間部分と前記他方側接続部の境界近傍の少なくとも一方に他方側折り目を形成し、前記一方側腕部及び他方側腕部が下方へ撓められると前記中間部分が前記一方側折り目及び他方側折り目によって反転可能となっていることが好ましい。
【００１１】
【発明の実施の形態】
本発明に係る包装箱の底上げ用中敷きの好ましい実施形態について以下に図１〜８を参照して説明する。図示の例は、従来技術と同様に、被包装物として大小２種類の瓶を包装する例を示しているが、被包装物は、図示形状の瓶に限らず、種々の形状の被包装物が含まれる。なお、全図を通し、同様の構成部分には同符号を付した。
【００１２】
底上げ用中敷き１は、厚紙又は薄いプラスチックシート等の可撓性を有するシートからなり、シート２に、被包装物（この例では瓶Ｂ。図３参照）の下面を抱えるようにして支持する腕部３を形成するための腕部形成用切れ目４を有する。
【００１３】
腕部３は、シート２の一方側基点５ａから他方側基点５ｂへ延び、腕部３の長さが左右の基点（５ａ、５ｂ）を結ぶ最短距離より長くなるように形成されている。基点（５ａ、５ｂ）には、腕部３を折り曲げるための腕部折り曲げ用折り目５が形成されている。
【００１４】
また、腕部３には、一方側基点（５ａ）から他方側へ延びる一方側腕部分３ａと、他方側基点（５ｂ）から一方側へ延びる他方側腕部分３ｂと、一方側腕部分３ａと他方側腕部分３ｂとを接続する中間部分３ｃと、が形成されている。
【００１５】
さらに腕部３には、一方側腕部分３ａと中間部分３ｃとを略Ｕターン状に折り返して接続するための一方側接続部３ｄと、他方側腕部分３ｂと中間部分３ｃとを略Ｕターン状にに接続するための他方側接続部３ｅと、が形成されている。なお、図１（ａ）において、図示の便宜上、一方側接続部３ｄと他方側接続部３ｅをハッチングで示している。
【００１６】
また、一方側腕部分３ａと一方側接続部３ｄとの境界には一方側折り目３ｆが形成され、中間部分３ｃと他方側接続部３ｅとの接続部に他方側折り目３ｇが形成されている。
【００１７】
なお、他方側折り目３ｇを、他方側腕部分３ｂと他方側接続部３ｅとの境界線上或いはその近傍に形成しても良いし（図２（ａ））、或いは、一方側折り目３ｆを、中間部分３ｃと一方側接続部３ｄとの境界線上或いはその近傍に形成してもよい（図２（ｂ））。
【００１８】
シート２の四辺には、従来と同様に、側板６ａを形成するための側板形成用折り目６が形成されるとともに、瓶Ｂの口部Ｂ２の輪郭を型取った口部輪郭形成用折り目７と、口部輪郭形成用折り目７によって形成される輪郭のコーナー部位からその輪郭の内側へ延びる口部仕切用切れ目８と、が形成されいてる。
【００１９】
上記のように切れ目及び折り目が形成されているシート２の中敷きとしての使用態様を以下に説明する。
【００２０】
一方側腕部３ａ及び他方側腕部３ｂを下方に撓め、腕部折り曲げ用折り目５に沿って折り曲げると、腕部形成用切れ目４によって腕部３がシート２の表面からハンモック状に吊られた様な状態になる。さらに腕部３の中間部分３ｃを、一方側折り目３ｆ及び他方側折り目３ｇのところで１８０°近く反転するように折り曲げることによって、図１（ｂ）、図４に示すように、中間部分３ｃの裏側の面が上を向く格好となって、中間部分３ｃが被包装物Ｂの載る座面を形成し得る。
このように一方側折り目３ｆ及び他方側折り目３ｇのところで中間部分３ｃが反転するように折り曲げることにより、腕部３が実質的に伸び、しかも、腕部３がねじれることなく被包装物を受けることができるため被包装物（Ｂ）を安定的に受けることができる。
【００２１】
このようにして腕部３を折り曲げ成形しておいて、図３に示すように被包装物Ｂである瓶を押し込めば、口部輪郭形成用折り目７に沿って折り曲がり、口部仕切用切れ目８によって形成された開口部に瓶Ｂの口部Ｂ２が嵌る。
【００２２】
また、腕部折り曲げ用折り目５を胴体部分Ｂ１の輪郭に合わせることにより、折り曲げられた腕部折り曲げ用折り目５によって胴体部分Ｂ１を仕切ることができる。
【００２３】
本発明に係る包装箱の底上げ用中敷きは、上記実施形態に示した例に限らず、種々の変更態様が可能である。
【００２４】
例えば、図５〜７に示すように、一方側腕部分３ａの先から両側へ二手に分かれるようにして一対の一方側接続部３ｄ’、３ｄ”を形成し、これら一方側接続部３ｄ’、３ｄ”の各々に一対の中間部分３ｃ’、３ｃ”を連続して形成し、さらに他方側接続部３ｅ’、３ｅ”を介して、他方側腕部分３ｅ’、３ｅ”に接続しても良い。この場合も、腕部３には、第１実施形態と同様に、腕部折り曲げ用折り目５、一方側折り目３ｆ及び他方側折り目３ｇ’，３ｇ”が形成されている。これらの折り目及び切れ目に沿って図６に示すように折り曲げ成形すれば、腕部３がハンモック状になって被包装物を受けることができる。
【００２５】
さらに、腕部３は、その長さが左右の基点（５ａ，５ｂ）を結ぶ最短距離より長くなるように腕部形成用切れ目４が形成されておれば良く、腕部形成用切れ目４を、図７に示すような平面視正弦波状、或いは、図８に示すような平面視鋸波状に形成することもできる。
【００２６】
また、図示しないが、接続部及び中間部分の数は、必要に応じて増すことができる。
【００２７】
【発明の効果】
以上の説明から明らかなように、本発明に係る包装箱の底上げ用中敷きによれば、２種類の中敷きを使わなくても、底上げができる。
【図面の簡単な説明】
【図１】本発明に係る包装箱の底上げ用中敷きを形成するためのシートの一実施形態であり、図１（ａ）は中敷き用のシートを示す平面図、図１（ｂ）は、図１（ａ）のシートを折れ線及び切れ目に沿って折り曲げ成形した後の底上げ用中敷きを示す斜視図である。
【図２】図２（ａ）、（ｂ）は、それぞれ本発明に係る包装箱の底上げ用中敷きを形成するためのシートの他の実施形態を示す平面図である。
【図３】図２の成型後の中敷きを外箱内に敷いて被包装物をセットした状態を示す平面図である。
【図４】図１（ｂ）の状態の中敷きに被包装物を詰めて裏側から見た底面図である。
【図５】本発明中敷きを形成するためのシートであって他の実施形態を示す平面図である。
【図６】図５のシートを折れ目及び切れ目に沿って折り曲げ成形した後の底上げ用中敷きを示す斜視図である。
【図７】本発明中敷きを形成するシートの更に他の実施形態を示す平面図である。
【図８】本発明中敷きを形成するためのシートの更に他の実施形態を示す平面図である。
【図９】従来の包装箱用中敷きを包装箱及び被包装物とともに示す組立斜視図である。
【図１０】図９の中敷きを形成するためのシートを示す平面図である。
【符号の説明】
１　底上げ用中敷き
２　シート
３　腕部
３ａ　一方側腕部分
３ｂ　他方側腕部分
３ｃ，３ｃ’，３ｃ”　中間部分
３ｄ，３ｄ’，３ｄ”　一方側接続部
３ｅ，３ｅ’，３ｅ”　他方側接続部
３ｆ　一方側折り目
３ｇ，３ｇ’，３ｇ”　他方側折り目
４　腕部形成用切れ目
５　腕部折り曲げ用折り目
６　側板形成用折り目
６ａ　側板
７　口部輪郭形成用折り目
８　口部仕切用切れ目
【図１】
2004090940.tif 000003
【図２】
2004090940.tif 000004
【図３】
2004090940.tif 000005
【図４】
2004090940.tif 000006
【図５】
2004090940.tif 000007
【図６】
2004090940.tif 000008
【図７】
2004090940.tif 000009
【図８】
2004090940.tif 000010
【図９】
2004090940.tif 000011
【図１０】
2004090940.tif 000012